【手続補正書】
【提出日】平成18年11月8日(2006.11.8)
【手続補正１】
【補正対象書類名】特許請求の範囲
【補正対象項目名】全文
【補正方法】変更
【補正の内容】
【特許請求の範囲】
【請求項１】
少なくとも１つのクロス・フェード画像を符号化するための基準画像として使用される、フェードアウト開始画像とフェードイン終了画像との間に時間的に配置された、前記少なくとも１つのクロス・フェード画像についてのビデオ信号データを符号化するビデオ符号器であって、
基準画像重み付けアプリケータと、
前記基準画像重み付けアプリケータと信号通信可能に接続されており、前記少なくとも１つのクロス・フェード画像を符号化するために、前記フェードアウト開始画像と前記フェードイン終了画像の各々に対応する重み付け係数を割り当てる基準画像重み付け係数ユニットと、
を含むビデオ符号器。
【請求項２】
前記基準画像重み付けアプリケータと信号通信可能に接続されており、前記少なくとも１つのクロス・フェード画像を符号化するために、前記基準画像重み付け係数ユニットに応じて、動き補償されたフェードアウト開始画像と動き補償されたフェードイン終了画像の少なくとも一方を供給する動き補償ユニットを更に含む、請求項１記載のビデオ符号器。
【請求項３】
前記基準画像重み付け係数ユニットと前記動き補償ユニットの各々と信号通信可能に接続されており、前記フェードアウト開始画像と前記フェードイン終了画像の各々を記憶する基準画像記憶装置を更に含む、請求項２記載のビデオ符号器。
【請求項４】
前記基準画像重み付けアプリケータが、前記基準画像重み付け係数ユニットによって選択された重み付け係数を、前記動き補償されたフェードアウト開始画像と前記動き補償されたフェードイン終了画像の少なくとも一方に適用する、請求項２記載のビデオ符号器。
【請求項５】
双予測画像予測子を処理できるビデオ符号器であって、重み付けられ動き補償されたフェードアウト開始画像とフェードイン終了画像から、それぞれ、第１と第２の予測子を形成する予測手段を更に含む、請求項４記載のビデオ符号器。
【請求項６】
前記重み付けられ動き補償されたフェードアウト開始画像とフェードイン終了画像の各々が、前記少なくとも１つのクロス・フェード画像の全てを基準にして、互いに反対方向から得られる、請求項５記載のビデオ符号器。
【請求項７】
前記基準画像重み付け係数ユニットと信号通信可能に接続されており、明示的動作モードに於いて、重み付け係数に応じて、動き推定を行う動き推定ユニットを更に含む、請求項１記載のビデオ符号器。
【請求項８】
前記基準画像重み付け係数ユニットと信号通信可能に接続されており、明示的動作モードに於いて、オフセットを前記重み付けられ動き補償された基準画像に適用する加算ユニットを更に含む、請求項２記載のビデオ符号器。
【請求項９】
画像相互間のクロス・フェードを符号化する方法であって、
クロス・フェードが設定された各画像を識別するステップと、
前記クロス・フェードが設定された各画像から適切な各終了点を特定するステップと、
前記各終了点相互間の少なくとも１つの画像を符号化する前に、前記各終了点を符号化するステップと、
を含む方法。
【請求項１０】
前記クロス・フェードが設定された各画像から特定された前記終了点が、前記各終了点相互間の少なくとも１つの画像の符号化の際、基準画像として使用される、請求項９記載の方法。
【請求項１１】
実質的に圧縮されていないフェードアウト開始画像を受信するステップと、
実質的に圧縮されていないフェードイン終了画像を受信するステップと、
前記フェードアウト開始画像に対応する少なくとも１つの画像について、重み付け係数を割り当てるステップと、
前記フェードイン終了画像に対応する少なくとも１つの画像について、重み付け係数を割り当てるステップと、
を更に含む、請求項９記載の方法。
【請求項１２】
少なくとも１つのクロス・フェード画像と、前記フェードアウト開始画像および前記フェードイン終了画像の少なくとも一方との間の差分に対応する動きベクトルを算出するステップと、
前記動きベクトルに応じて、前記フェードアウト開始画像および前記フェードイン終了画像の前記少なくとも一方を動き補償するステップと、
前記動き補償された、前記フェードアウト開始画像および前記フェードイン終了画像の少なくとも一方に、割り当てられた重み付け係数を乗算して、少なくとも１つの重み付けられ動き補償された基準画像を形成するステップと、
前記少なくとも１つのクロス・フェード画像から前記少なくとも１つの重み付けられ動き補償された基準画像を減算するステップと、
前記少なくとも１つのクロス・フェード画像と前記少なくとも１つの重み付けられ動き補償された基準画像との間の差分を表す信号を符号化するステップと、
を更に含む、請求項１１記載の方法。
【請求項１３】
２つの基準画像が使用され、該２つの基準画像が、前もって符号化されたフェードアウト開始画像（ＦＰ０）とフェードイン終了画像（ＦＰ１）から成る、請求項１２記載の方法。
【請求項１４】
前記少なくとも１つのクロス・フェード画像から減算する前に、動き補償されたフェードアウト開始画像と動き補償されたフェードイン終了画像とを組み合わせるステップを更に含む、請求項１３記載の方法。
【請求項１５】
動きベクトルを算出する前記ステップが、
前記少なくとも１つのクロス・フェード画像に対するオフセットの所定範囲内の全ての変位についてサーチ領域内を検査するステップと、
動き補償された基準画像と前記少なくとも１つのクロス・フェード画像内の各ピクセルの差分絶対和と平均二乗誤差の少なくとも一方を算出するステップと、
前記差分絶対和および前記平均二乗誤差が最も小さいオフセットを、動きベクトルとして、選択するステップと、
を含む、請求項１２記載の方法。
【請求項１６】
動きベクトルを算出する前記ステップが、
前記少なくとも１つのクロス・フェード画像に対するオフセットの所定範囲内の全ての変位についてサーチ領域内を検査するステップと、
前記フェードアウト開始画像に対応する第１の動き補償された基準画像と前記少なくとも１つのクロス・フェード画像内の各ピクセルの差分絶対和と平均二乗誤差の少なくとも一方を算出するステップと、
前記フェードアウト開始画像について、前記差分絶対和および前記平均二乗誤差が最も小さいオフセットを、動きベクトルとして、選択するステップと、
前記フェードイン終了画像に対応する第２の動き補償された基準画像とイメージ・ブロック内の各ピクセルの差分絶対和と平均二乗誤差の少なくとも一方を算出するステップと、
前記フェードイン終了画像について、前記差分絶対和および前記平均二乗誤差が最も小さいオフセットを、動きベクトルとして、選択するステップと、
を含む、請求項１２記載の方法。
【請求項１７】
前記フェードアウト開始画像、および、前記フェードイン終了画像についての各重み付け係数が、暗黙的動作モードに於いて、それぞれ、前記少なくとも１つのクロス・フェード画像と前記フェードアウト開始画像との相対的距離、および、前記少なくとも１つのクロス・フェード画像と前記フェードイン終了画像との相対的距離に応じて、設定される、請求項１１記載の方法。
【請求項１８】
ビデオ・コーデックであって、請求項１記載の符号器と復号器とから成り、前記復号器が、フェードアウト開始画像とフェードイン終了画像の各々に関係したクロス・フェード画像についてのビデオ信号データを復号し、また、前記復号器が、前記フェードアウト開始画像と前記フェードイン終了画像の各々に対応する重み付け係数を決定する出力を有する基準画像重み付け係数ユニットを含む、ビデオ・コーデック。
【請求項１９】
前記基準画像重み付け係数ユニットが、前記フェードアウト開始画像と前記フェードイン終了画像の各々に対応するオフセットを決定する別の出力を有する、請求項１８記載のビデオ・コーデック。
【請求項２０】
前記基準画像重み付け係数ユニットと信号通信可能に接続されており、前記フェードアウト開始画像と前記フェードイン終了画像の各々に対応するインデックスを前記基準画像重み付け係数ユニットに供給する可変長復号器を更に含む、請求項１８記載のビデオ・コーデック。
【請求項２１】
前記基準画像重み付け係数ユニットと信号通信可能に接続されており、該前記基準画像重み付け係数ユニットに応答して、動き補償された基準画像を供給する動き補償器を更に含む、請求項１８記載のビデオ・コーデック。
【請求項２２】
前記動き補償器および前記基準画像重み付け係数ユニットと信号通信可能に接続されており、重み付け係数を前記動き補償された基準画像に適用する基準画像重み付けアプリケータを更に含む、請求項２１記載のビデオ・コーデック。
【請求項２３】
前記動き補償器および前記基準画像重み付け係数ユニットと信号通信可能に接続されており、オフセットを前記動き補償された基準画像に適用する加算器を更に含む、請求項２１記載のビデオ・コーデック。
【請求項２４】
前記ビデオ信号データが、ブロック変換係数を含むストリーミング・ビデオ信号データである、請求項１８記載のビデオ・コーデック。
【請求項２５】
双予測画像予測子を処理し、
前記復号器が、
２つの異なる基準画像から第１と第２の予測子を形成する予測手段と、
前記第１と第２の予測子を、それらに対応する重み付け係数を用いて、平均化して、１つの平均化予測子を形成する平均化手段と、
を更に含む、請求項１８記載のビデオ・コーデック。